(57)【要約】【課題】消費電力を低減できると共に、読取手段による読み取りの実行が予期される事象が発生した場合に光源を点灯させることにより、ユーザの待ち時間を低減することができる複合機を提供すること。【解決手段】複合機１によれば、複数の指令入力のうち、光源点灯の契機となる有効指令は、複数のモードの各々に対応付けて記憶されているので、有効指令でない指令が入力された場合は光源を点灯させず、有効指令が入力された場合のみ光源を点灯させることができる。よって、無駄な消費電力を低減できると共に、スキャナ３による読み取りの実行が予期される指令入力が発生した場合に光源を点灯させることにより、読み取り開始までに、光源光量を安定させ、ユーザが待つ時間を低減することができる。また、消灯中の光源が頻繁に点灯されることが抑制されることに起因して、光源の寿命に悪影響が少ない。【選択図】図５
2009027506.tif 000002
【特許請求の範囲】
【請求項１】
光源から照射され原稿において反射された光を読み取り、原稿に対応した画像データを出力する読取手段と、複数の指令入力を受け付けるための指令受付手段と、複数のモードのいずれか１つを有効に設定するモード設定手段とを備え、前記モード設定手段にて有効に設定されたモードで動作する複合機において、
前記複数の指令入力のうち、いずれが前記光源を点灯する契機となる有効指令であるかを示す有効指令情報を、前記複数のモードの各々に対応付けて記憶する有効指令記憶手段と、
前記指令受付手段により指令入力を受け付けた場合、その指令入力が前記有効指令であるか否かを、モードの設定と前記有効指令記憶手段に記憶された有効指令情報に従って判断する有効指令判断手段と、
前記有効指令判断手段により、前記指令入力が有効指令であると判断された場合、前記光源を点灯する光源点灯手段とを備えることを特徴とする複合機。
【請求項２】
継続して光源が点灯される点灯時間を経過した後に、前記光源を消灯する光源待機手段と、
前記有効指令判断手段により、前記指令入力が有効指令であると判断された場合、前記点灯時間を延長する延長手段を備えることを特徴とする請求項１記載の複合機。
【請求項３】
前記モード設定手段は、少なくとも、前記読取手段により出力される画像データをファクシミリ送信する指令入力を待機するファクシミリモードと、前記読取手段により出力される画像データを保存し又は外部機器へ転送する指令入力を待機するスキャナモードと、前記読取手段により出力される画像データを記録媒体に出力する指令入力を待機するコピーモードとを含む複数のモードのいずれかを設定するものであり、
前記有効指令記憶手段は、前記複数のモードの各々について、待機した指令入力に応じた、前記読取手段による読み取りに関する設定または前記画像データの出力処理に関する設定を入力するための指令入力を有効指令とする有効指令情報を記憶するものであることを特徴とする請求項１または２に記載の複合機。
【請求項４】
前記指令受付手段は、前記モード設定手段により設定されるモードを１のモードから他のモードへ切り替える指令入力を受け付けるためのモード切替操作手段を備え、
前記有効指令記憶手段は、前記モード切替操作手段が受け付ける指令入力を有効指令とする有効指令情報を記憶するものであることを特徴とする請求項１から３のいずれかに記載の複合機。
【発明の詳細な説明】
【技術分野】
【０００１】
本発明は、読取手段による読み取りが実行される場合には、前もって光源を点灯させる複合機に関するものである。
【背景技術】
【０００２】
従来より、原稿を読み取る読取装置と、記録用紙に画像を形成する印刷装置とを備え、ファクシミリモード、コピーモード、スキャナモードなどの複数モードに切り替え可能な複合機が知られている。このような複合機の読取装置では、読み取り対象の原稿に光源から光を照射し、その原稿で反射した反射光を、主走査方向にライン状に配列された複数の電荷結合素子（以下「ＣＣＤ」と称する）により反射光の強さに応じた電圧値に変換して読み取り、その電圧値をデジタルデータに変換することにより原稿の画像を読み取っている。光源としては、光源から広範囲にわたって光が照射される冷陰極管ランプなどの蛍光ランプを用いると都合がよい。
【０００３】
上記のような読取装置を備えた機器では、消費電力をいかに削減するかが課題となっている。特に、読取装置の光源は消費電力が大きいため、読取装置の非使用時には光源を消灯し、実際にスキャンを行うときのみ点灯することとすれば、消費電力を大きく削減することができる。
【０００４】
よって、例えば、特許文献１には、非使用時は読取機能部への電源を遮断し、原稿が挿入されたことを検知したときに、読取機能部の電源を投入するコピー機が開示されている。
【特許文献１】特開２００６−２１７０７５号公報
【発明の開示】
【発明が解決しようとする課題】
【０００５】
しかしながら、光源への電源を投入してから、読み取り動作に適切な程度にその光量が安定するまでには、時間がかかる（特に、冷陰極管などの蛍光ランプにはその傾向がある）。よって、原稿が挿入されてから、読取機能部への電源を投入する特許文献１のような制御を行うと、光量の安定を待ち、それから読み取りを実行することとなる。つまり、ユーザは、原稿挿入から読み取り実行までに相当時間待たされることとなるという問題点があった。
【０００６】
また一方で、ユーザからのキー入力の都度（ユーザが読み取りの実行をするつもりがなくても）、光源へ電源を投入するようにすると、無駄に電力を消費してしまうことになる。
【０００７】
本発明は、上記問題点を解決するためになされたものであり、消費電力を低減できると共に、読取手段による読み取りの実行が予期される事象が発生した場合に光源を点灯させることにより、ユーザの待ち時間を低減することができる複合機を提供することを目的としている。
【課題を解決するための手段】
【０００８】
この目的を達成するために、請求項１記載の複合機は、光源から照射され原稿において反射された光を読み取り、原稿に対応した画像データを出力する読取手段と、複数の指令入力を受け付けるための指令受付手段と、複数のモードのいずれか１つを有効に設定するモード設定手段とを備え、前記モード設定手段にて有効に設定されたモードで動作するものであって、前記複数の指令入力のうち、いずれが前記光源を点灯する契機となる有効指令であるかを示す有効指令情報を、前記複数のモードの各々に対応付けて記憶する有効指令記憶手段と、前記指令受付手段により指令入力を受け付けた場合、その指令入力が前記有効指令であるか否かを、モードの設定と前記有効指令記憶手段に記憶された有効指令情報に従って判断する有効指令判断手段と、前記有効指令判断手段により、前記指令入力が有効指令であると判断された場合、前記光源を点灯する光源点灯手段とを備えることを特徴とする。
【０００９】
請求項２記載の複合機は、請求項１記載の複合機において、継続して光源が点灯される点灯時間を経過した後に、前記光源を消灯する光源待機手段と、前記有効指令判断手段により、前記指令入力が有効指令であると判断された場合、前記点灯時間を延長する延長手段を備えることを特徴とする。
【００１０】
請求項３記載の複合機は、請求項１または２に記載の複合機において、前記モード設定手段は、少なくとも、前記読取手段により出力される画像データをファクシミリ送信する指令入力を待機するファクシミリモードと、前記読取手段により出力される画像データを保存し又は外部機器へ転送する指令入力を待機するスキャナモードと、前記読取手段により出力される画像データを記録媒体に出力する指令入力を待機するコピーモードとを含む複数のモードのいずれかを設定するものであり、前記有効指令記憶手段は、前記複数のモードの各々について、待機した指令入力に応じた、前記読取手段による読み取りに関する設定または前記画像データの出力処理に関する設定を入力するための指令入力を有効指令とする有効指令情報を記憶するものであることを特徴とする。
【００１１】
請求項４記載の複合機は、請求項１から３のいずれかに記載の複合機において、前記指令受付手段は、前記モード設定手段により設定されるモードを１のモードから他のモードへ切り替える指令入力を受け付けるためのモード切替操作手段を備え、前記有効指令記憶手段は、前記モード切替操作手段が受け付ける指令入力を有効指令とする有効指令情報を記憶するものであることを特徴とする。
【発明の効果】
【００１２】
請求項１記載の複合機によれば、複数の指令入力のうち、光源点灯の契機となる有効指令は、複数のモードの各々に対応付けて記憶されているので、有効指令でない指令が入力された場合は光源を点灯させず、有効指令が入力された場合のみ光源を点灯させることができる。よって、無駄な消費電力を低減できると共に、読取手段による読み取りの実行が予期される指令入力が発生した場合に光源を点灯させることにより、読み取り開始までに、光源光量を安定させ、ユーザが待つ時間を低減することができるという効果がある。また、消灯中の光源が頻繁に点灯されることが抑制されることに起因して、光源の寿命に悪影響が少ないという効果もある。
【００１３】
請求項２記載の複合機によれば、請求項１記載の複合機の奏する効果に加え、指令入力が有効指令であると判断された場合、点灯時間が延長されるので、読取手段による読み取りの実行が確定してから光源を点灯する場合に比較して、読み取りを迅速に開始することができ、ユーザが待つ時間を低減することができるという効果がある。
【００１４】
なお、「点灯時間を延長する」とは、ある定められた一定時間分だけ延長する場合のみではなく、点灯時間を無限に延長する場合も含む。
【００１５】
請求項３記載の複合機によれば、請求項１または２に記載の複合機の奏する効果に加え、読み取り指令の入力前にユーザが行うであろう設定入力を待機し、待機した指令入力に応じた、読取手段による読み取りに関する設定または画像データの出力処理に関する設定が入力されると、光源が点灯されるので、読取手段による読み取りの実行が確定してから光源を点灯する場合に比較して、読み取りを迅速に開始することができ、ユーザの待ち時間を低減することができるという効果がある。
【００１６】
ここで、「読取手段による読み取りに関する設定または前記画像データの出力処理に関する設定を入力するための指令入力」のうち、「読取手段による読み取りに関する設定を入力するための指令入力」としては、例えば、読取手段による読み取り解像度の設定変更に関する指令入力、読み取り対象の原稿が両面原稿か否かを選択するための指令入力などが挙げられる。また、「画像データの出力処理に関する設定を入力するための指令入力」としては、例えば、ファクシミリ送信の宛先設定に関する指令入力、印刷部数に関する指令入力、コピーの際のコントラスト、画質、拡大または縮小のための倍率設定、用紙トレイの選択、ソート機能をオンにするかオフにするかの選択に関する指令入力などを挙げることができる。
【００１７】
なお、好適には、前記複合機は、読取手段による読み取りに関する初期設定を記憶する初期設定記憶手段と、その初期設定記憶手段に記憶された初期設定を変更するための指令入力を受け付ける初期設定変更手段とを備え、前記有効指令記憶手段は、前記初期設定変更手段により受け付ける指令入力を、有効指令として記憶しないものである。このようにすれば、初期設定変更のための指令入力があった場合でも、光源は点灯されないので、頻繁な点灯が抑制され、消費電力を低減することができる。
【００１８】
請求項４記載の複合機によれば、請求項１から３のいずれかに記載の複合機の奏する効果に加え、読み取り指令の入力前にユーザが行うであろう、モードを切り替える指令入力を待機し、モード設定手段により設定されるモードを１のモードから他のモードへ切り替える指令入力がされると、光源が点灯されるので、読取手段による読み取りの実行が確定してから光源を点灯する場合に比較して、読み取りを迅速に開始することができ、ユーザの待ち時間を低減することができるという効果がある。
【発明を実施するための最良の形態】
【００１９】
以下、本発明の好ましい実施例について、添付図面を参照して説明する。図１は、本発明における実施形態の複合機１の外観構成を示す斜視図である。図１に示すように、本複合機１は、下部に設けられたプリンタ２と、上部に設けられたスキャナ３と、スキャナ３の正面側に設けられた操作パネル４とを一体的に備えたＭＦＰ（Ｍｕｌｔｉ  Ｆｕｎｃｔｉｏｎ  Ｐｅｒｉｐｈｅｒａｌ）である。
【００２０】
スキャナ３は、白色蛍光ランプで構成される光源を発光させて、原稿台に載置された原稿を照射し、原稿において反射された光を撮像素子により電気信号に変換して読み取って、原稿に対応した画像データを出力するものである。また、スキャナ３は、自動原稿送り装置５を備え、その自動原稿送り装置５により送られる原稿についても同様に、光源からの光を照射してその反射光を読み取り、原稿に対応した画像データを出力することができる。
【００２１】
本複合機１は、指令入力を待機し、待機した指令入力を受け付けたらスキャナ３により出力される画像データを、プリンタ２により記録用紙（記録媒体）に出力するコピーモードと、待機した指令入力を受け付けたら画像データをファクシミリ送信するファクシミリモードと、待機した指令入力を受け付けたら画像データをパーソナルコンピュータ（以下単に「ＰＣ」と称す）など外部のコンピュータ（図示せず）へ転送し、またはメモリカードなどに保存するスキャナモードのうち、いずれかのモードで動作するよう設定される。また、ＰＣ等の外部コンピュータから画像データが入力されると、その入力された画像データをプリンタ２により記録用紙に出力するプリントモードで動作するよう自動的に設定される。設定されたモードを、以下は、設定中のモードと称することとする。
【００２２】
接続パネル７０には、その左端側にＵＳＢ端子７１が配設されている。ＵＳＢ端子７１は、外部機器とＵＳＢ接続することにより該外部機器と本複合機１とを通信可能に接続するコネクタ端子である。また、接続パネル７０の右端側にはスロット部７２が配設されている。スロット部７２はメモリカード（カード型メモリ）を装填可能な複数のカードスロットが設けられている。カードスロットにメモリカードが装填され、該装填されたメモリカードから画像データが後述の制御部２０（図４参照）により読み出される。
【００２３】
複合機１の正面側には、操作パネル４が設けられている。操作パネル４は、プリンタ２やスキャナ３を操作するためのものであり、複数の指令入力を受け付けるための指令受付手段の一例である各種操作キー４０とタッチパネル４１とを具備する。ユーザは、操作パネル４を用いて、所望の指令を入力することができる。複合機１に所定の指令が入力されると、その入力された情報に基づいて該複合機１の動作が制御部２０（図４参照）によって制御される。
【００２４】
図２および図３を参照して、各種操作キー４０について説明する。図２は、操作パネル４の構成を示す部分平面図であり、図３は、各モードにおける表示画面の一例を示す図である。図２に示すように、操作キー４０としては、ワンタッチダイアルキー４０１、プリントモードキー４０２、ファクシミリモードキー４０３、モード切替キー４０４、コピーモードキー４０５、スタートキー４０６、ストップキー４０７、テンキー４０８、上下キー４０９、左右キー４１０、クリアキー４１１、ＯＫキー４１２、メニューキー４１３、両面キー４１４が設けられている。
【００２５】
ワンタッチダイアルキー４０１は、ファクシミリモードの設定中に、ファクシミリ送信の宛先に関する指令入力を受け付けるためのキーである。このワンタッチダイアルキー４０１により指令入力を受け付けた後、スタートキー４０６が操作されると、このワンタッチダイアルキー４０１により入力された宛先に対するファクシミリ送信が実行される。
【００２６】
図３（ａ）は、ファクシミリモードの設定中、タッチパネル４１に表示されるファクシミリ送信待機画面の一例を示す図である。図３（ａ）に示されるファクシミリ送信待機画面がタッチパネル４１に表示される間、ワンタッチダイアルキー４０１のうちのいずれかのキーが押下されると、そのキーに対応づけて登録された番号が、ファクシミリ送信の相手先ファクシミリ番号として設定される。
【００２７】
図２に戻り説明する。プリントモードキー４０２は、ダイレクトプリントキー４０２１、セキュアキー４０２２、ジョブキャンセルキー４０２３を備えている。
【００２８】
ダイレクトプリントキー４０２１は、ＵＳＢ端子７１やスロット部７２に装着されるメモリカードなどの記憶媒体内のデータをプリンタ２により印刷させる指令入力を受け付けるキーである。セキュアキー４０２２は、パスワード保護された画像データの印刷出力を開始させる指令入力を受け付けるキーである。ジョブキャンセルキー４０２３は、印刷中止の指令入力を受け付けるキーである。
【００２９】
ファクシミリモードキー４０３は、ファクシミリモードの設定中に指令入力を受け付けるキーであって、フックキー４０３１、リダイアルキー４０３２、サーチ／スピードダイアルキー４０３３、解像度キー４０３４を備えている。
【００３０】
フックキー４０３１は、回線を閉結させる指令入力を受け付けるキーである。リダイアルキー４０３２、サーチ／スピードダイアルキー４０３３は、図３（ａ）を示して説明した、ファクシミリ送信待機画面の表示中に、ファクシミリ送信の宛先に関する指令入力を受け付けるキーである。これらリダイアルキー４０３２、サーチ／スピードダイアルキー４０３３により指令入力を受け付けた後、スタートキー４０６が操作されると、これらのキーにより入力された宛先に対するファクシミリ送信が実行される。
【００３１】
特に、リダイアルキー４０３２は、前回のファクシミリ送信における宛先を読み出し、再度、宛先として設定するものである。また、サーチ／スピードダイアルキー４０３３は、予め登録されているファクシミリ番号を検索により読み出して宛先として設定するためのキーである。サーチ／スピードダイアルキー４０３３が押下されると、予め登録されているファクシミリ番号がＬＣＤ４１に表示されるので、ユーザは、上下キー４０９により任意の電話番号を選択し、またはテンキー４０８から文字を入力することにより任意のファクシミリ番号を検索し、ファクシミリ送信の宛先として設定することができる。
【００３２】
解像度キー４０３４は、ファクシミリ送信の際における、スキャナ３での読み取り解像度の設定変更に関する指令入力を受け付けるキーである。図３（ａ）に示すファクシミリ送信待機画面の表示中に解像度キー４０３４が押下されると、ＬＣＤ４１には、設定可能な複数種類の解像度が表示され、ユーザは、その中から任意の解像度を設定することができる。そして、この解像度キー４０３４により解像度が設定された後、スタートキー４０６が操作されると、設定された解像度で原稿が読み取られ、ファクシミリ送信が実行される。
【００３３】
モード切替キー４０４は、モード切替操作手段の一例であって、設定中のモードを１のモードから他のモードへ切り替える指令入力を受け付けるキーであり、ファクシミリモードへの移行指令に対応するファクシミリモード移行キー４０４１と、スキャンモードへの移行指令に対応するスキャンモード移行キー４０４２と、コピーモードへの移行指令に対応するコピーモード移行キー４０４３とを備えている。なお、これらモード切替キー４０４は、半透明の部材で構成され、設定中のモードに対応したキーが点灯させられる（図３参照）。
【００３４】
本複合機１は、電源起動時はファクシミリモードが有効なモードとして設定され、ＬＣＤ４１には、図３（ａ）を参照して説明したファクシミリ送信機画面が表示される。また、スキャンモード移行キー４０４２が押下されると、設定中のモードがスキャンモードへ切り替えられ、ＬＣＤ４１には、スキャン待機画面が表示される。図３（ｂ）は、スキャン待機画面の一例を示す図である。また、コピーモード移行キー４０４３が押下されると、設定中のモードがコピーモードへ切り替えされ、ＬＣＤ４１には、コピー待機画面が表示される。
【００３５】
図３（ｃ）は、コピー待機画面の一例を示す図である。図３（ｃ）に示すように、コピー待機画面には、コピー処理に関する各種設定項目（例えば、コントラスト、画質、倍率、トレイ、印刷部数）が表示される。コピー待機画面は、最初、予め記憶された初期設定が表示されるが、後述するコピーモードキー４０５によって各種設定が入力されると、その入力された設定内容が表示されることとなる。なお、複合機１は、スキャンモードまたはコピーモードへ切り替えられた後、指令入力がない状態が所定時間経過すると、ファクシミリモードに自動的に切り替えられる。
【００３６】
図２に戻り説明する。コピーモードキー４０５は、図３（ｃ）に示すコピー待機画面の表示中に、指令入力を受け付けるキーであって、コントラスト／画質キー４０５２と、拡大／縮小キー４０５３と、トレイ選択キー４０５４と、ソートキー４０５５と、Ｎｉｎ１キー４０５６とを備えている。
【００３７】
コントラスト／画質キー４０５２は、次回のコピー実行時における、コピーのコントラストまたは画質の設定に関する指令入力を受け付けるキーである。このコントラスト／画質キー４０５２を押下することにより、ユーザは、原稿の文字の大きさや濃さ、写真など原稿の種類に合わせて、コントラスト、画質、濃度を適宜選択することができる。拡大／縮小キー４０５３は、拡大または縮小のための倍率設定に関する指令入力を受け付けるキーである。この拡大／縮小キー４０５３を押下することにより、ユーザは所望の倍率を設定することができる。
【００３８】
トレイ選択キー４０５４は、コピーの際に使用する用紙トレイの選択に関する指令入力を受け付けるキーである。本複合機１は、２種類のトレイが設けられている。このトレイ選択キー４０５４を押下することにより、ユーザは、２種類のトレイのうち、いずれかを択一的に選択することができる。
【００３９】
ソートキー４０５５は、コピー後の記録用紙を一部毎に並べ替えるソート機能をオンにするかオフにするかの選択に関する指令入力を受け付けるキーである。Ｎｉｎ１キー４０５６は、１枚の記録用紙に、何ページ分の原稿のコピー画像を形成するかの設定に関する指令入力を受け付けるキーである。
【００４０】
スタートキー４０６は、カラースタートキー４０６１とモノクロスタートキー４０６２とを備える。カラースタートキー４０６１は、カラーでのコピー、ファクシミリ送信、スキャンの実行を開始する指令入力を受け付けるキーである。モノクロスタートキー４０６２は、モノクロでのコピー、ファクシミリ送信、スキャンの実行を開始する指令入力を受け付けるキーである。ストップキー４０７は、スキャナ３による読み取りの中止指令入力を受け付けるキーである。
【００４１】
これらのコピーモードキー４０５により各種設定が入力された後、スタートキー４０６が操作されると、このコピーモードキー４０５により入力された設定に従ったコピー処理が実行される。
【００４２】
テンキー４０８は、ファクシミリモード設定中において、ファクシミリ送信の宛先に関する指令入力を受け付けるキーであると共に、コピーモード設定中においては、印刷部数に関する指令入力を受け付けるキーである。このテンキー４０８から入力された番号が、相手先のファクシミリ番号として設定され、または印刷部数として設定された後、スタートキー４０６が操作されると、設定されたファクシミリ番号に対するファクシミリ送信が実行され、または設定された印刷部数でのコピー処理が実行される。
【００４３】
上下キー４０９は、タッチパネル４１に表示された選択項目からいずれかを選択する指令入力を受け付けるキーである。例えば、スキャンモードの設定中、上下キー４０９を操作することにより、図３（ｂ）に示すスキャン待機画面に表示されている、画像データの出力形式（例えば、ＦＴＰ、Ｅ−ｍａｉｌ、イメージデータ、ＯＣＲ）のいずれかを、次回読み取りの設定として入力することができる。上下キー４０９の操作により、画像データの出力形式が設定された後、スタートキー４０６が操作されると、その設定された出力形式での画像データの出力が実行される。
【００４４】
また、例えば、コピーモードの設定中、上下キー４０９が押下されると、図３（ｃ）に示すコピー待機画面に表示されている設定項目、例えば、コントラスト、画質、拡大／縮小、トレイのいずれかが有効とされ、それら設定項目に関する設定の入力が可能となる。上下キー４０９の操作により、上記設定項目に関する設定が入力された後、スタートキー４０６が操作されると、その設定された設定でのコピー処理が実行される。なお、コピーモード設定時における各種設定項目をＬＣＤ４１に一度に表示しきれない場合には、上下キー４０９の操作により、非表示の設定項目を表示させることができる。
【００４５】
左右キー４１０は、ブザー音などを鳴動するスピーカーの音量設定に関する指令入力を受け付けるキーである。クリアキー４１１は、テンキー４０８からの入力内容をクリアするキーである。ＯＫキー４１２は、テンキー４０８からの入力内容を決定するキーである。メニューキー４１３は、複合機１本体の初期設定の閲覧、変更操作のためのキーである。このメニューキー４１３が押下されると、後述する初期設定記憶エリア２４１（図４参照）に記憶されている、複合機１の初期設定が読み出され、ＬＣＤ４１に表示される。ユーザは、その表示を閲覧し、初期設定を変更することができる。
【００４６】
両面キー４１４は、読み取り対象の原稿が、両面原稿か否かを選択するための指令入力を受け付けるキーである。両面キー４１４が押下されることにより、両面原稿か否かが指令入力された後、スタートキー４０６が操作されると、その指令入力に従って、スキャナ３による次回の読み取りの際に、原稿の両面を読み取るか片面のみ読み取るかが切り替えられる。
【００４７】
次に、図４を参照して、本実施形態の複合機１の電気的構成について説明する。図４は、複合機１の電気的構成を示すブロック図である。複合機１は、ケーブルを介してＰＣなどと接続可能なインターフェイス（以下「Ｉ／Ｆ」と称する）であるパラレルＩ／Ｆ２９と、ＵＳＢメモリやデジタルカメラなどと接続可能なＵＳＢ端子７１と、外部メディア（例えば、メモリカードやハードディスクなどの記録媒体）を着脱自在に装着可能なスロット部７２と、リアル・タイム・クロック（以下「ＲＴＣ」と称す）７３とを備えている。このため、ＰＣ、デジタルカメラ、外部メディアから画像データを入力することができるようになっている。なお、ＰＣ、デジタルカメラ、外部メディアと複合機の接続形態はこれに限らない。図示しないネットワークＩ／Ｆを介して接続するものでも良い。
【００４８】
制御部２０は、プリンタ２、スキャナ３及び操作パネル４（図２参照）を含む複合機１の動作を統括的に制御するものである。制御部２０は、ＣＰＵ（Ｃｅｎｔｒａｌ  Ｐｒｏｃｅｓｓｉｎｇ  Ｕｎｉｔ）２１、ＲＯＭ（Ｒｅａｄ  Ｏｎｌｙ  Ｍｅｍｏｒｙ）２２、ＲＡＭ（Ｒａｎｄｏｍ  Ａｃｃｅｓｓ  Ｍｅｍｏｒｙ）２３、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）２４を主とするマイクロコンピュータとして構成されており、バス２５を介してＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）２６に接続されている。
【００４９】
ＣＰＵ２１は、この複合機１を総括的に制御する中央演算処理装置である。ＲＯＭ２２は、ＣＰＵ２１により実行される各種制御プログラムやそのプログラムを実行する際に用いられる固定値などを記憶するものである。図６を参照して後述する光源点灯処理を実行するためのプログラムは、ＲＯＭ２２に格納されている。また、ＲＯＭ２２には、有効指令記憶手段の一例である有効指令記憶エリア２２１が設けられているが、これについては図５を参照して後述する。
【００５０】
ＲＡＭ２３は、ＣＰＵ２１が上記プログラムを実行する際に用いる各種データを一時的に記憶する記憶領域又は作業領域として使用される書き換え可能なメモリである。ＥＥＰＲＯＭ２４は、書き換え可能な不揮発性メモリであり、初期設定記憶エリア２４１が設けられている。初期設定記憶エリア２４１には、スキャナ３による読み取りの色、解像度、ファイル形式などの初期設定が記憶されている。上述したメニューキー４１３（図２参照）が操作されると、ＬＣＤ４１に初期設定が表示され、各種操作キー４０を操作することにより、その初期設定を書き換えることができる。
【００５１】
次に、バス２５を介して制御部２０と接続されるＡＳＩＣ２６について説明する。ＡＳＩＣ２６には、操作パネル４が接続されている。操作キー４０の操作（例えば押下）が検出されると、所定のコード信号がＡＳＩＣ２６に入力される。そして、ＣＰＵ２１は、操作パネル４から所定のキーコードを受信すると、所定のキー処理テーブルに従って、実行すべき制御処理を行う。また、図３を参照して説明したように、操作パネル４のＬＣＤ４１には、ＣＰＵ２１の指令に基づいて、設定中のモードに応じた画面が表示される。
【００５２】
さらに、ＡＳＩＣ２６には、一般公衆回線に接続されファクシミリ機能を実現するためのＮＣＵ（Ｎｅｔｗｏｒｋ  Ｃｏｎｔｒｏｌ  Ｕｎｉｔ）３１や、ＮＣＵ３１を介してモデム３２が接続されている。
【００５３】
また、ＡＳＩＣ２６には、ＲＴＣ７３が接続される。ＲＴＣ７３は、年・月・日・曜日・時間・分・秒の時間の計時を行うＩＣである。ＲＴＣ７３により計時された時間はＣＰＵ２１によって読み出され、各処理に使用される。特に、スキャナ３の光源が継続して点灯される点灯時間を経過したか否かは、このＲＴＣ７３の値に基づいて決定される。
【００５４】
次に、図５を参照して、有効指令記憶エリア２２１に記憶された有効指令情報について説明する。図５は、各モードに対応付けて有効指令記憶エリア２２１に記憶される有効指令情報の一例を示す図である。
【００５５】
ここで有効指令とは、操作パネル４０が受け付ける指令入力のうち、スキャナ３の光源を点灯する契機となる指令入力のことである。また、有効指令情報とは、操作パネル４０のうち、有効指令を受け付けるキーを示す情報である。すなわち、有効指令情報として記憶されているキーにより指令入力を受け付けると、その指令入力を契機として光源を点灯するのである。
【００５６】
図５に示すように、ファクシミリモードに対しては、有効指令情報として、テンキー４０８、ワンタッチダイアルキー４０１、サーチ／スピードダイアルキー４０３３、リダイアルキー４０３２、解像度キー４０３４、両面キー４１４、スキャンモード移行キー４０４２、コピーモード移行キー４０４３が対応付けられている。
【００５７】
上述したように、テンキー４０８、ワンタッチダイアルキー４０１、サーチ／スピードダイアルキー４０３３、リダイアルキー４０３２は、ファクシミリ送信の宛先に関する指令入力を受け付けるキーである。また、解像度キー４０３４、両面キー４１４により指令入力を受け付けた後、スタートキー４０６が操作されると、これら解像度キー４０３４または両面キー４１４の操作により入力された設定に従って、原稿の読み取りが実行され、ファクシミリ送信がされる。よって、ファクシミリモード設定中に、これらのキーが指令入力を受け付けた場合、間もなく、スタートキー４０６が押下され、原稿の読み取り開始が指示されることが予想される。
【００５８】
また、ファクシミリモード設定中に、スキャンモード移行キー４０４２、またはコピーモード移行キー４０４３が指令入力を受け付けた場合においても、同様に、間もなく、スキャンモードまたはコピーモードでスキャナ３を使用することが予想される。
【００５９】
よって、ファクシミリモード設定中は、有効指令情報として記憶したこれらのキーに対する指令入力を受け付けたタイミングで、光源を点灯することにより、スタートキー４０６により読み取り開始の指令入力を受け付けるまでの間に、光源をウォームアップさせておくことができ、迅速に読み取りを開始することができる。その結果、ユーザの待ち時間を低減させることができる。
【００６０】
一方、ファクシミリモードに対応する有効指令情報として記憶されていないその他のキーに対する指令入力がされても、光源は点灯しない。すなわち、ファクシミリモード設定中に、プリントモードキー４０２、コピーモードキー４０５、上下キー４０９に対する指令入力がされても、光源は点灯しない。よって、消灯中の光源が頻繁に点灯されることが抑制されて消費電力を低減できることができる。
【００６１】
また、図５に示すように、スキャンモードに対しては、有効指令情報として、上下キー４０９と、コピーモード移行キー４０４３が対応付けられている。
【００６２】
上述したように、スキャンモード設定中は、スキャン待機画面（図３（ｂ）参照）がＬＣＤ４１に表示されるので、上下キー４０９は、図３（ｂ）に示すスキャン待機画面に表示されている、画像データの出力形式（例えば、ＦＴＰ、Ｅ−ｍａｉｌ、イメージデータ、ＯＣＲのいずれの形式で出力するかの設定）のいずれかを設定する指令入力を受け付ける。画像データの出力形式の設定は、次回の原稿読み取りにおいて用いられる設定であるから、スキャンモード設定中に、上下キー４０９が指令入力を受け付けた場合、間もなく、スタートキー４０６が押下され、原稿の読み取り開始が指示されることが予想される。
【００６３】
また、スキャンモード設定中に、コピーモード移行キー４０４３が指令入力を受け付けた場合も同様に、間もなく、コピーモードでスキャナ３を使用することが予想される。
【００６４】
よって、スキャンモード設定中は、有効指令情報として記憶されたこれらのキーに対する指令入力を受け付けたタイミングで、光源を点灯することにより、スタートキー４０６により読み取り開始の指令入力を受け付けるまでの間に、光源をウォームアップさせておくことができ、迅速に読み取りを開始することができる。その結果、ユーザの待ち時間を低減させることができる。また、スキャンモード設定中も、ファクシミリモード設定中と同様に、スキャンモードに対応する有効指令情報として記憶されていないその他のキーに対する指令入力がされても、光源は点灯されないので、消灯中の光源が頻繁に点灯されることが抑制されて消費電力を低減できることができる。
【００６５】
また、図５に示すように、コピーモードに対しては、有効指令情報として、上下キー４０９と、コピーモードキー４０５と、テンキー４０８と、スタートキー４０６と、スキャンモード移行キー４０４２とが記憶されている。
【００６６】
上述したように、コピーモード設定中は、コピー待機画面（図３（ｃ）参照）がＬＣＤ４１に表示されるので、上下キー４０９は、コピー待機画面に表示され得る各種設定項目、すなわち、コントラスト、画質、拡大／縮小、トレイのいずれかが有効とされ、それら設定項目に関する指令入力を受け付けるキーとして機能する。また、コピーモードキー４０５も同様に、コピーモード設定中は、画質、拡大／縮小、トレイ選択、ソート、Ｎｉｎ１の設定を受け付ける。また、テンキー４０８は、コピー部数などの設定に関する指令入力を受け付ける。これら上下キー４０９、コピーモードキー４０５、またはテンキー４０８からの指令入力に従って設定される内容は、次回の原稿読み取りにおいて用いられる設定であるから、コピーモード設定中に、これらのキーが指令入力を受け付けた場合、間もなく、スタートキー４０６が押下され、原稿の読み取り開始が指示されることが予想される。
【００６７】
また、コピーモード設定中に、スキャンモード移行キー４０４２が指令入力を受け付けた場合も同様に、間もなく、スキャンモードでスキャナ３を使用することが予想される。
【００６８】
よって、コピーモード設定中は、有効指令情報として記憶されたこれらのキーに対する指令入力を受け付けたタイミングで、光源を点灯することにより、スタートキー４０６により読み取り開始の指令入力を受け付けるまでの間に、光源をウォームアップさせておくことができ、迅速に読み取りを開始することができる。その結果、ユーザの待ち時間を低減させることができる。また、コピーモード設定中も、ファクシミリモード、スキャンモード設定中と同様に、コピーモードに対応する有効指令情報として記憶されていないその他のキーに対する指令入力がされても、光源は点灯されないので、消灯中の光源が頻繁に点灯されることが抑制されて消費電力を低減できることができる。
【００６９】
なお、図２を参照して説明した、プリントモードキー４０２、クリアキー４１１、ＯＫキー４１２、メニューキー４１３は、いずれのモードに対しても、有効指令情報とはなっていない。プリントモードキー４０２は、スキャナ３による読取処理を伴わないプリントモードに関する指令入力を受け付けるものであり、クリアキー４１１、ＯＫキー４１２は、テンキー４０８からの入力を消去しまたは決定する指令入力を受け付けるものであり、メニューキー４１３は、初期設定記憶エリア２４１（図４参照）に記憶された初期設定を閲覧、変更するための指令入力を受け付けるものであるので、これらのキーが操作されたとしても、スキャナ３が近いうちに使用されると予想し難い。よって、本実施形態の複合機１では、これらのキーに対応する指令入力を有効指令に含めないことにより、スキャナ３の光源が頻繁に点灯されることが、より抑制されるのである。
【００７０】
図６を参照して、上述した複合機１で実行される処理について説明する。図６は、複合機１において実行される光源点灯処理を示したフローチャートである。この光源点灯処理は、複合機１の電源が投入されると実行される処理である。
【００７１】
まず、電源投入時の初期化処理を実行する（Ｓ２）。次に、設定中のモードに対応した待機画面をＬＣＤ４１に表示する（Ｓ４）。上述したように、電源投入時には、まず、ファクシミリモードが設定されるから、ファクシミリモード待機画面（図３（ａ）参照）が表示される。その後は、モード切替キー４０４からの指令入力に従って設定中のモードが切り替えられると、その切り替え後のモードに応じた待機画面がＬＣＤ４１に表示されることとなる。
【００７２】
次に、操作キー４０が指令入力を受け付けたか否か、すなわち、ユーザが操作キー４０に対する操作を行ったか否かを判断する（Ｓ５）。
【００７３】
操作キー４０が指令入力を受け付けた場合（Ｓ５：Ｙｅｓ）、次に、受け付けた指令入力が有効指令であるか否かを、モードの設定と、有効指令記憶エリア２２１に記憶された有効指令情報とに従って判断する（Ｓ６）。具体的には、指令入力を受け付けた操作キー４０が、有効指令情報として、有効指令記憶エリア２２１に記憶されているか否かを判断する。
【００７４】
Ｓ６の判断が肯定される場合（Ｓ６：Ｙｅｓ）、次に、スキャナ３の光源が点灯しているか否かを判断する（Ｓ８）。Ｓ８の判断が否定される場合（Ｓ８：Ｎｏ）、すなわち、光源が消灯していると判断される場合、光源を点灯する（Ｓ１０）。具体的には、例えば、スキャナ３への電源の供給を開始する。なお、Ｓ１０のステップにおいて、光源を点灯させた後、さらに、ウォームアップ加速処理、光源光量安定の判断処理などを行っても良い。このようにすれば、スキャナ３による読み取り開始指令が入力されたときに、迅速に読み取りを開始することができる。
【００７５】
一方、Ｓ８の判断が肯定される場合（Ｓ８：Ｙｅｓ）、光源の点灯時間を延長する（Ｓ１２）。ここで、本実施形態の複合機１では、光源の点灯開始から３０分間またはスキャン機能使用終了から１０分間のうち、残り時間が長い方を点灯を継続させる点灯時間とするものとする。すなわち、光源の点灯開始から３０分またはスキャン機能使用終了から１０分を経過すると、光源を自動的に消灯するのであるが、Ｓ８の判断が肯定される場合は、その点灯時間を、例えば５分間延長するのである。このようにすれば、スキャナ３による読み取り開始指令が入力されるとき、光源の点灯は継続されているので、読み取りを迅速に開始することができる。
【００７６】
一方、Ｓ６の判断が否定された場合（Ｓ６：Ｎｏ）、すなわち、指令入力が有効指令ではない場合、Ｓ１３に移行する。すなわち、光源が消灯されている場合は、その光源の消灯状態が継続される。また、光源が点灯されている場合であっても、その点灯時間が延長されることがない。
【００７７】
次に、指令入力を受け付けたキーがモード切替キー４０４であったか否かを判断する（Ｓ１３）。Ｓ１３の判断が肯定される場合（Ｓ１３：Ｙｅｓ）、指令入力を受け付けたモード切替キー４０４に対応したモードを有効に設定する（Ｓ１４）。Ｓ１３の判断が否定される場合（Ｓ１３：Ｎｏ）、Ｓ１４の処理をスキップする。
【００７８】
そして、ユーザ操作に従った処理を実行し（Ｓ１５）、光源が点灯中か否かを判断する（Ｓ１６）。光源点灯中の場合（Ｓ１６：Ｙｅｓ）、次に、光源点灯時間が経過したか否かを判断する（Ｓ１８）。Ｓ１８の判断が肯定される場合（Ｓ１８：Ｙｅｓ）、すなわち、継続して光源が点灯される点灯時間を経過した後、光源を消灯する（Ｓ２０）。具体的には、スキャナ３への電源を遮断する。
【００７９】
一方、Ｓ１６の判断が否定される場合（Ｓ１６：Ｎｏ）、またはＳ１８の判断が否定される場合（Ｓ１８：Ｎｏ）、Ｓ４に戻り処理を繰り返す。
【００８０】
なお、指令入力がない場合は（Ｓ５：Ｎｏ）、Ｓ１６の処理の処理に移行し、光源が点灯中であり（Ｓ１６：Ｙｅｓ）、点灯時間が経過すると（Ｓ１８：Ｙｅｓ）、光源を消灯する（Ｓ１８）。
【００８１】
複合機１によれば、複数の指令入力のうち、光源点灯の契機となる有効指令は、複数のモードの各々に対応付けて記憶されているので、有効指令でない指令が入力された場合は光源を点灯させず、有効指令が入力された場合のみ光源を点灯させることができる。よって、無駄な消費電力を低減できると共に、スキャナ３による読み取りの実行が予期される指令入力が発生した場合に光源を点灯させることにより、読み取り開始までに、光源光量を安定させ、ユーザが待つ時間を低減することができる。また、消灯中の光源が頻繁に点灯されることが抑制されることに起因して、光源の寿命に悪影響が少ない。
【００８２】
また、光源が点灯していると判断され、指令入力が有効指令であると判断された場合、点灯時間が延長されるので、スキャナ３による読み取りの実行が確定してから光源を点灯する場合に比較して、読み取りを迅速に開始することができ、ユーザの待ち時間を低減することができる。
【００８３】
また、読み取り指令の入力前にユーザが行うであろう設定入力を待機し、待機した指令入力に応じた、スキャナ３による読み取りに関する設定または画像データの出力処理に関する設定が入力されると、光源が点灯されるので、スキャナ３による読み取りの実行が確定してから光源を点灯する場合に比較して、読み取りを迅速に開始することができ、ユーザの待ち時間を低減することができる。
【００８４】
また、読み取り指令の入力前にユーザが行うであろう、モードを切り替える指令入力を待機し、設定されるモードを１のモードから他のモードへ切り替える指令入力がされると、光源が点灯されるので、読取手段による読み取りの実行が確定してから光源を点灯する場合に比較して、読み取りを迅速に開始することができ、ユーザの待ち時間を低減することができる。
【００８５】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【００８６】
例えば、本実施形態では、指令受付手段の一例が、操作キー４０であるものとして説明したが、指令受付手段は、指令入力を受け付けることができるものであれば良く、キー以外のものによって構成されていても良い。例えば、タッチパネル、複合機に接続された携帯電話やデジタルカメラなどその他の入力手段を指令受付手段とする場合にも、本発明は適用可能である。
【００８７】
また、本実施形態では、操作キー４０の構成を詳細に説明したが、具体的構成は様々に設計変更可能である。例えば、オプションキーを設け、そのオプションキーに対する指令入力に応じて、選択項目をＬＣＤ４１に表示し、各種設定を指令入力可能とするように構成されていても良い。その場合、そのオプションキーに対する指令入力も、有効指令として、有効指令記憶エリア２２１に記憶しておくと良い。
【００８８】
また、本実施形態では、有効指令記憶エリア２２１に記憶される有効指令情報として、有効指令が記憶されていたが、有効指令記憶エリア２２１に記憶される有効指令情報は、各指令入力が有効指令であるか否かが判断できるものであれば良い。よって、有効指令記憶エリア２２１に記憶される有効指令情報として、有効指令以外の指令入力、すなわち無効指令が記憶されていても良い。
【００８９】
また、本実施形態では、スキャナ３の光源は、白色蛍光ランプで構成されていたが、スキャナ３の光源として、例えば、ハロゲンランプなど、他の光源が用いられても良い。特に、電源投入から十分な光量や安定した光量が得られるまで時間のかかる光源を採用したスキャナにとって、本発明は有効である。
【００９０】
また、本実施形態のスキャナ３は、自動原稿送り装置５を備えたフラッドベッドタイプのスキャナであったが、例えば、ハンディタイプスキャナなど、他の種類のスキャナが読取手段として複合機に設けられている場合であっても、本発明は適用される。
【００９１】
また、本実施形態では、スキャナ３へ電源を供給することにより光源を点灯し、あるいはスキャナ３への電源を遮断することにより光源を消灯していたが、光源の電源のみを制御することにより、点灯または消灯するように構成されている場合にも、本発明は適用可能である。
【図面の簡単な説明】
【００９２】
【図１】実施形態の複合機の外観構成を示す斜視図である。
【図２】操作パネルの構成を示す部分平面図である。
【図３】各モードにおける表示画面の一例を示す図である。
【図４】複合機の電気的構成を示すブロック図である。
【図５】各モードに対応付けて有効指令記憶エリアに記憶される有効指令情報の一例を示す図である。
【図６】複合機において実行される光源点灯処理を示したフローチャートである。
【符号の説明】
【００９３】
１                  複合機
３                  スキャナ
４０                操作キー
２２１              有効指令記憶エリア
【図１】
2009027506.tif 000003
【図２】
2009027506.tif 000004
【図３】
2009027506.tif 000005
【図４】
2009027506.tif 000006
【図５】
2009027506.tif 000007
【図６】
2009027506.tif 000008